(57)【特許請求の範囲】
【請求項１】
履物本体としての、最も薄い凹形状部分でも５ｍｍ以上の厚さを備え、剛性を備えた可撓性材料であるゴム材又はスポンジ材からなり、以下の１）〜３）の構成を備えている履物用底部材と、これに組付けた装着者の足甲部を覆う被甲部材とを備えたスリッパ状の履物であって、
前記被甲部材が柔軟なシート状材料からなると共に、履物用底部材の底面を被覆するベース部と、このベース部の前方部の内外側の側縁から延設された被甲部とを有し、かつ、前記被甲部材のベース部と被甲部との間に前記履物用底部材をインソールとして着脱可能に接着して挿入したものであることを特徴とする健康履物。
１）履物用底部材の表面が装着者の足裏の凹凸形状に対応した凹凸形状を備え、
２）履物用底部材の後方部には、表面周縁部沿いに装着者の踵部の下半部を包摂する堤防状の壁部を立上げ形成し、
３）上記壁部の前方端部は履物装着時におけるＭＰ関節ラインまで至る。
【請求項２】
前記健康履物における履物用底部材が、予め採取した装着者の個人足型データに基づいて製造されたものであることを特徴とする請求項１に記載の健康履物。
【請求項３】
前記健康履物における被甲部材のベース部の後方部と履物用底部材の後方部との間に、装着時の踵部の高さ及び／又は傾斜角度を調節できる薄板状のヒールインソールを着脱可能に介在させたことを特徴とする請求項１又は請求項２に記載の健康履物。
【請求項４】
前記健康履物における被甲部材の被甲部が、足の甲部を被覆できる開閉式の被甲カバーによって構成されていることを特徴とする請求項１〜請求項３のいずれかに記載の健康履物。
【請求項５】
前記健康履物における被甲部材には、健康履物の装着時に足の踵部後方を包囲するヒールカバーを着脱可能に取付けたことを特徴とする請求項１〜請求項４のいずれかに記載の健康履物。
【発明の詳細な説明】
【技術分野】
【０００１】
本発明は履物用底部材及び健康履物に関する。更に詳しくは、本発明は、健常者向けの履物としても使用感が良好で健康に良く、足骨格や足に関連する疾患や不具合を持つ者、特に入院患者や高齢者等の室内生活者に対する治療・リハビリテーション用装具としても好適な、履物用底部材及び健康履物に関する。
【背景技術】
【０００２】
従来より、一般的な意味での足まわりの健康の維持・増進を目的として、あるいは偏平足、Ｏ脚やＸ脚、リウマチ足等の足関連の多様な疾患・不具合に対する足底装具療法的な効果又はリハビリテーション効果等を期待して、多様なインソール（履物用の中敷）や、健康増進用の履物が提案されている。
【０００３】
【特許文献１】特開２００６−１９８０８４号公報
【特許文献２】特開２００７−１７５５３２号公報  例えば上記の特許文献１は、第２中足骨頭部と第３中足骨頭部に対応する部位に窪み状の除圧部を設けた履物の本底と、これを履物本体の内部に挿入した履物を提案している。そしてこれらを使用すると、立ち仕事などで立位姿勢を保持する場合に足裏の疼痛等を発生し難く、とりわけヒールの高い履物に好適である、としている。
【０００４】
又、上記の特許文献２は、表面が装着者の足裏の凹凸形状に対応した凹凸形状を備える履物用中敷と、この履物用中敷を履物本体の上部に備えてなる履物を提案している。この履物用中敷の表面は、足の骨格のアーチである横アーチ、内側縦アーチ、外側縦アーチを整える凸形状や、第２／第３中足骨頭部に対応する部位における凹形状等を備えており、これによって足骨格の矯正を行い、腰から下の整形外科疾患に対して治療的・予防的効果が得られる、としている。
【発明の開示】
【発明が解決しようとする課題】
【０００５】
ところで、履物を装着すること自体に一定の健康・治療上の効果を期待する場合には、その装着者が入院患者や高齢者等である場合が多いことに留意すべきである。そのような履物にとしては、何よりも（１）歩行が楽であることが要求され、しかも（２）履いたり脱いだりする履脱動作が容易であり、反面、（３）歩行中には装着者の意に反して脱げてしまうようでは困る、という並立し難い要求に同時に応える必要がある。
【０００６】
上記した（１）の要求に関しては、親指から小指に至る５本の足指のＭＰ関節（足指の付け根の関節、即ち、中足骨と基節骨との継ぎ目の関節）を結ぶＭＰ関節ラインに沿って履物が撓み易いことが重要である。そうでなければ歩行動作が滑らかに行われず、歩行者の足に余計な負担を与える。次に、上記の（２）の要求に関しては、履脱動作の容易なスリッパ状の履物が最適である。更に、上記した（３）の要求に関しては、歩行時に後足の踵部が上がった際、その踵部に履物の後方部が追従しないと、歩行感が悪く、履物が装着者の意に反して脱げ易くなる。これら（１）〜（３）の要求に対応できない履物は歩行者に精神的ストレスを与える。
【０００７】
前記特許文献１に係る履物の本底はＭＰ関節線沿いに屈曲し易くなっており、上記の（１）の要求に対する一つの解決策を提示するが、それ自体は本質的に平坦なインソールに過ぎず、上記の（２）や（３）の要求に対する解決策を提示しない。前記特許文献２に係る履物用中敷が足裏の凹凸形状に対応した凹凸形状を備える点は、一般論として有益な構成であるが、上記の（１）〜（３）の要求に対する解決策にはならない。
【０００８】
これらの特許文献に開示されたインソールとは別に、通常の靴やシューズ等で見られるように、履物を脱げ難くするため、装着者の踵部全体を包摂するヒールカバー部を設けることは一般的である。しかし、そのようなヒールカバー部を設けると、上記（３）の要求には対応できるが、スリッパのような履脱動作の容易性が失われ、上記（２）の要求には対応できないというトレード・オフの関係がある。逆に、通常のスリッパの場合、履脱動作が容易であるが、上記（３）の要求には対応できず、歩行時に踵部に履物の後方部が追従しないため履物が脱げ易い。即ち、従来のインソールや履物は上記の（１）〜（３）の要求に同時に対応できるものではなかった。
【０００９】
更に、以上の問題とは別に、健康の維持・増進を目的とし又は足底装具療法的な効果を狙う従来の履物において、保健・衛生的な見地から洗濯の便宜を考慮したものは殆んど見られない。即ち、これらの履物の利用者には入院患者や室内生活を主体とする高齢者が含まれるので、履物が過度に汚れる前に洗濯して衛生的な状態を保つことは重要である。
【００１０】
従来のこの種のインソールを用いた履物においては、インソール自体を履物の本体から取り外して洗浄することはできる。しかし、床面や地面に接するために特に汚れ易い履物本体は、ゴム、エラストマー、スポンジ状の樹脂材料等の厚みのある材料からなり、しかも足の甲部を覆う袋状又はアーチ状の被甲部材を一体的に備えているため、洗濯し難いものであった。そのため、過度に汚れた履物をそのまま装着し続けるという不衛生な状態が見られた。
【００１１】
そこで本発明は、以上に述べた種々の問題を解決することにより、装着者が入院患者や高齢者等である場合にも好適な、歩行が楽で、履脱動作が容易な反面、歩行中に勝手に脱げてしまわず、しかも洗濯して衛生的な状態を保ち易い履物用底部材と健康履物とを提供することを、解決すべき技術的課題とする。
【課題を解決するための手段】
【００１２】
（第１発明）
上記課題を解決するための本願第１発明の構成は、履物本体としての厚さを備えた可撓性材料からなり、以下の１）〜３）の構成を備えている、履物用底部材である。
１）履物用底部材の表面が装着者の足裏の凹凸形状に対応した凹凸形状を備え、
２）履物用底部材の後方部においては、表面周縁部沿いに装着者の踵部の下半部を包摂する堤防状の壁部を立上げ形成し、
３）上記壁部の前方端部は履物装着時におけるＭＰ関節ラインまで至る。
【００１３】
上記の第１発明において、履物用底部材は履物本体としての厚さを備えた可撓性材料からなる。即ち、通常のインソールとは異なり、それ自体が装着者の足裏の凹凸形状に対応した凹凸形状を備え、かつ、薄い部分でも、例えば５ｍｍ程度又はそれ以上の厚さを持つ。履物用底部材の構成材料は、装着者の歩行動作に伴い撓むことができる可撓性材料からなる限りにおいて限定されないが、従来の通常のスリッパと同様の材料、例えば、エラストマー、ゴム、装着者の体重を支え得る程度の剛性を備えた可撓性の発泡樹脂等を用いることができる。
【００１４】
「装着者の足裏の凹凸形状に対応した凹凸形状」とは、足裏の凹凸形状にフィットした凹凸形状をいう。例えば、足の骨格の３つのアーチである横アーチ、内側縦アーチ、外側縦アーチを整えた凹凸形状を例示することができる。更に、「壁部の前方端部が、履物装着時におけるＭＰ関節ラインまで至る」とは、装着時において、堤防状の壁部が、内側（足の親指側）においては足の親指ＭＰ関節の側方まで至り、外側(足の小指側)においては足の小指ＭＰ関節の側方まで至ることをいう。
【００１５】
第１発明の履物用底部材においては、（ａ）底部材の表面が装着者の足裏の凹凸形状に対応した凹凸形状を備えるので、快適な装着感と、装着者の足に対する一定の治療効果又はリハビリテーション効果を期待できる。次に、（ｂ）底部材の後方部において、表面周縁部沿いに装着者の踵部の下部を包摂する堤防状の壁部を立上げ形成したので、堤防状の壁部が後足の踵部を幾分拘束し、歩行時に後足の踵部に履物の後方部が追従し易い。そのため、歩行時に履物が脱げ難い。しかも堤防状の壁部は、通常の靴やシューズにおけるような装着者の踵部全体を包摂するヒールカバー部ではないため、履脱動作の容易性が失われず、「履脱動作の容易なスリッパ状の履物」としての特質を維持する。更に（ｃ）履物用底部材が可撓性材料からなると共に、堤防状の壁部の前端が親指ＭＰ関節と小指ＭＰ関節とを結ぶＭＰ関節ラインまで至るので、歩行時において、ＭＰ関節ラインに沿って履物が撓み易く、装着者が入院患者や高齢者等である場合にも、歩行は楽である。即ち、堤防状の壁部は、前記（１）〜（３）のいずれの要求にも関連するという、極めてユニークな作用・効果を発揮する。
【００１６】
（第２発明）
上記課題を解決するための本願第２発明の構成は、前記第１発明に係る履物用底部材が予め採取した装着者の個人足型データに基づいて製造されたものである、履物用底部材である。
【００１７】
履物用底部材は、第２発明のように、予め採取した装着者の個人足型データに基づいて製造することができる。この場合、上記した第１発明の効果が特に顕著に発揮される。第２発明の履物用底部材の製造にあたり、例えばＣＡＤ／ＣＡＭ等と呼ばれるコンピュータ・エイデッドの設計・製造システムを採用することもできる。
【００１８】
（第３発明）
上記課題を解決するための本願第３発明の構成は、第１発明又は第２発明に記載された履物用底部材と、これに組付けた装着者の足甲部を覆う被甲部材とを備えたスリッパ状の履物である、健康履物である。
【００１９】
本発明に係る健康履物は、前記第１発明又は第２発明に係る履物用底部材に対して装着者の足甲部を覆う被甲部材を組付けたスリッパ状の履物である。被甲部材そのものは、通常のスリッパやサンダル等に見られる一般的な被甲部材と同様の材料を用いて同様の形状に構成することができる。
第３発明のスリッパ状の履物は、通常のスリッパと同様に履脱が容易であり、かつ装着者の踵部の下部を包摂する堤防状の壁部を備えるため、歩行中に勝手に脱げない。
【００２０】
（第４発明）
上記課題を解決するための本願第４発明の構成は、前記第３発明の健康履物における被甲部材が、その内外側の端部を履物用底部材の前方部の内外側の側縁に対して固定的に又は着脱可能に組付けたものである、健康履物である。
【００２１】
健康履物における被甲部材は、履物用底部材の前方部の内外側の側縁に対して固定的に組付けることもできるし、着脱可能に組付けることもできる。履物用底部材に対して被甲部材を着脱可能に組付ける態様は限定されないが、例えば、多数の微細なフック部材を密に着生させたシート状の基材と、多数の微細なループ部材を密に着生させたシート状の基材とを着脱可能に接着させる方式のマジックテープ（登録商標）と俗称される接着テープを利用して組付けることができる。より具体的には、被甲部材と履物用底部材とに、それぞれマジックテープの一方のシート材を接合しておくことができる。被甲部材に関しては、その所定部の表面自体を、マジックテープの一方のシート材として構成することもできる。
【００２２】
（第５発明）
上記課題を解決するための本願第５発明の構成は、前記第３発明の健康履物における被甲部材が柔軟なシート状材料からなると共に、履物用底部材の底面を被覆するベース部と、このベース部の前方部の内外側の側縁から延設された被甲部とを有しており、被甲部材のベース部と被甲部との間に前記履物用底部材をインソールとして着脱可能に挿入した、健康履物である。
【００２３】
上記の第５発明に係る健康履物において、被甲部材のベース部と被甲部との間に挿入された履物用底部材は、その底面において被甲部材のベース部と着脱可能に接着されるものであり、被甲部材の被甲部は、履物用底部材の前部の上方をアーチ状に跨って架設された状態となる。履物用底部材と被甲部材のベース部との接着の態様は限定されないが、例えば、履物用底部材の底面側と、ベース部の上面側とに、前記したマジックテープ方式の接着構造を構成することができる。
【００２４】
第５発明の健康履物においては、被甲部材のベース部と被甲部との間に履物用底部材をインソールとして着脱可能に挿入したので、ベース部が床面や地面に接し特に汚れ易い部分となる。従って、汚れたベース部を含む被甲部材から履物用底部材を取り外し、柔軟なシート状材料からなる被甲部材を容易に洗濯することができる。その結果、入院患者や高齢者が過度に汚れた履物をそのまま装着し続けるという不衛生な状態を回避することができる。
【００２５】
このように、履物本体としての厚さを備えた可撓性材料からなる履物用底部材によって履物の本体を構成すると共に、これを柔軟なシート状材料からなる被甲部材中にインソールとして挿入することにより、洗濯時において被甲部材を履物用底部材から分離して洗濯できる構成とした履物は、従来に見られないものである。
【００２６】
（第６発明）
上記課題を解決するための本願第６発明の構成は、前記第５発明に係る健康履物における被甲部材のベース部の後方部と履物用底部材の後方部との間に、装着時の踵部の高さ，及び／又は、傾斜角度を調節できる薄板状のヒールインソールを着脱可能に介在させた、健康履物である。
【００２７】
ヒールインソールとしては、履物用底部材の後方部とほぼ同等の平面形状とサイズを備え、その後方端部から前方端部に向かって次第に厚さを減ずるシート状又は板状の部材が好ましい。ヒールインソールの上面には履物用底部材の底面に対して、ヒールインソールの底面には被甲部材のベース部の上面に対して、それぞれ着脱可能な接着機構を構成することができる。その接着機構の種類は限定されないが、例えば、前記したマジックテープ方式の接着構造を構成することができる。
【００２８】
第６発明の健康履物においては、ヒールインソールの挿入又はその取替えによって、装着者の足型や体型上の特徴に応じた踵部の高さや傾斜を任意にかつ容易に調節することができる。
【００２９】
（第７発明）
上記課題を解決するための本願第７発明の構成は、第４発明〜第６発明のいずれかに係る健康履物において、第４発明の被甲部材又は第５発明、第６発明のいずれかの被甲部が、足の甲部を被覆できる開閉式の被甲カバーによって構成されている、健康履物である。
【００３０】
上記の「開閉式の被甲カバー」には、両開き式の被甲カバーと片開き式の被甲カバーとが包含される。
【００３１】
両開き式の被甲カバーとは、一対のウイング状の被甲カバー片の先端部同士が、例えば前記マジックテープ方式の機構により上下重ね状に着脱できるように構成されたものである。被甲カバー片の先端部同士が接着され「閉」状態となると被甲カバーが足の甲部を被覆し、被甲カバー片の先端部同士が解放され「開」状態となると被甲カバーによる足の甲部に対する拘束が解除される。
【００３２】
片開き式の被甲カバーとは、被甲カバーを構成することができる単一のウイング状の被甲カバーの一方の基部が固定され、その先端部が、例えば前記マジックテープ方式の機構により、他方の基部となるべき部分に着脱可能に接着できる構成とされたものである。その作用・効果は、両開き式の被甲カバーの場合と同様である。
【００３３】
又、これらの開閉式の被甲カバーの基部とは、第４発明の被甲部材においては履物用底部材の前方部の内外側の側縁部であり、第５発明、第６発明のいずれかの被甲部においては、被甲部材におけるベース部の前方部の内外側の側縁である。
【００３４】
第７発明の健康履物においては、被甲部材又は被甲部が両開き式の被甲カバーによって構成されているので、装着者の足のサイズに応じて両開き式の被甲カバーのサイズを自由に調整できる。
【００３５】
（第８発明）
上記課題を解決するための本願第８発明の構成は、前記第３発明〜第７発明に係る被甲部材に、健康履物の装着時に足の踵部後方を包囲するヒールカバーを着脱可能に取付けた、健康履物である。
【００３６】
被甲部材にヒールカバーを着脱可能に取付ける態様は限定されないが、例えば前記のマジックテープ方式の接着構造を構成することができる。ヒールカバーは、柔軟な材料で構成することが好ましい。
【００３７】
第８発明の健康履物においては、必要に応じてヒールカバーを取付けることにより、歩行時における後足の踵部に対する履物の後方部の追従性を高めることができる。
【発明の効果】
【００３８】
本発明の履物用底部材及び健康履物によれば、装着者が入院患者や高齢者等である場合にも好適な、歩行が楽で、履脱動作が容易な反面、歩行中に勝手に脱げてしまわず、洗濯して衛生的な状態を保ち易い履物用底部材と健康履物とを提供することができる。
【実施例】
【００３９】
次に本発明の実施形態および実施例を図面に基づいて説明する。本発明の技術的範囲は、これらの実施形態および実施例によって限定されない。
【００４０】
〔履物用底部材〕
まず、図１に基づいてＭＰ関節ラインを説明する。図１は、ヒトの左足の平面図をその骨格の一部と共に示す。足の親指から小指に至る５本の足指には、それぞれ、図中の番号１〜５で示すＭＰ関節と呼ばれる部分がある。これらの関節は、いずれも各足指の付け根の関節である。これらのＭＰ関節１〜５を結ぶ仮想線がＭＰ関節ラインである。前記したように、履物は、歩行時においてＭＰ関節ラインに沿って撓み易いことが重要である。
【００４１】
本実施例に係る履物用底部材６の斜視図を図２に、そのＸ−Ｘ線に沿う断面図を図３に示す。履物用底部材６は、その表面が装着者の足裏の凹凸形状に好適に対応した凹凸形状を備え、その本体７の最も薄い凹形状部分でも５ｍｍ以上の厚さを持つ。本体７は、ある程度の剛性を備えた可撓性材料、例えばゴム材又はスポンジ材からなるが、本体７の表面には、更に緩衝用の軟質のエラストマーを上貼りしても良い（図示省略）。
【００４２】
履物用底部材６において、図の一点鎖線で示すＭＰ関節ラインの後方部分においては、足裏のいわゆる「土踏まず」に対応した凸形状部分８と足の踵部に対応した凹形状部分９が形成されると共に、履物用底部材６の表面周縁部沿いには、装着者の踵部の下半部を包摂することができる高さに、堤防状の壁部１０を立上げ形成している。この壁部１０は、その前方端部がＭＰ関節ラインまで至って終わるように形成されている。又、履物用底部材６の本体７の底面の全面に、薄いマジックテープ１１が接合されている。
【００４３】
このように構成された履物用底部材６は、後述の図５及び図６に示すように履物として構成された場合において、（ａ）履物用底部材６の表面が装着者の足裏の凹凸形状に対応した凹凸形状を備えるので、快適な装着感と、装着者の足に対する一定の治療効果又はリハビリテーション効果を期待できる。次に、（ｂ）履物用底部材６の後方部において、表面周縁部沿いに装着者の踵部の下部を包摂する堤防状の壁部１０を立上げ形成したので、壁部１０が後足の踵部を幾分拘束し、歩行時に後足の踵部に履物の後方部が追従し易い。そのため、歩行時に履物が脱げ難い。しかも壁部１０は、通常の靴やシューズにおけるような装着者の踵部全体を包摂するヒールカバー部ではないため、履脱動作の容易性が失われず、「履脱動作の容易なスリッパ状の履物」としての特質を維持する。更に（ｃ）履物用底部材６が可撓性材料からなると共に、壁部１０の前端がＭＰ関節ラインまで至るので、歩行時において、ＭＰ関節ラインに沿って履物が撓み易く、装着者が入院患者や高齢者等である場合にも、歩行は楽である。
【００４４】
履物用底部材６は、より好ましくは、適宜な方法で装着者の個人足型データを事前に採取し、このデータに基づいてオーダーメイドで製造することができる。その際、例えばＣＡＤ／ＣＡＭ等のコンピュータ・エイデッドの設計・製造システムを採用することもできる。
【００４５】
〔被甲部材〕
上記の履物用底部材６は、図４に展開状態の平面図を示す被甲部材１２と組付けて、スリッパ状の健康履物として使用される。被甲部材１２は、履物装着者の足甲部を覆う部材であり、足甲部を覆う部分は通常のスリッパやサンダル等に見られる一般的な被甲部材と同様の形状に構成することができる。
【００４６】
この被甲部材１２は柔軟なシート状材料からなり、履物用底部材の底面を被覆するベース部１３と、このベース部１３の前方部の内外側の側縁から延設された１対のウイング状の被甲カバー１４からなる。
【００４７】
このベース部１３の上面の全面には、前記した履物用底部材６のマジックテープ１１と着脱可能に接合できるマジックテープが貼付又は形成されている（図示省略）。なお、履物用底部材６とベース部１３との間に、前記した第６発明に係るヒールインソールを着脱可能に介在させる構成としても良い。
【００４８】
１対の被甲カバー１４は、それぞれの先端部の互いの重ね面における対応する位置にフック側とループ側との開閉用マジックテープ１５を取り付けており、この接着手段により開閉可能な両開き式の被甲カバーを構成している。従って、被甲カバー１４の先端部同士が重ね状に接着され「閉」状態になると足の甲部を被覆し、その先端部同士が解放され「開」状態になると足の甲部に対する拘束が解除される。
【００４９】
又、被甲カバー１４には、両端をマジックテープ方式により各被甲カバー１４に着脱可能に接着できるテープ状（帯状）のヒールカバー１６が付設されている。このヒールカバー１６は、図６に示すように、使用時において装着者の足の踵部後方を包囲することができる。
【００５０】
〔健康履物〕
図５及び図６に示すように、本実施例に係る健康履物１７は、前記被甲部材１２のベース部１３と、閉じた状態の１対の被甲カバー１４との間に、前記の履物用底部材６をインソールとして着脱可能に挿入したものである。履物用底部材６と、被甲部材１２のベース部１３との間はマジックテープによって着脱可能に接着される。
【００５１】
健康履物１７の装着時、被甲部材１２は足の甲部をアーチ状に跨って被覆する。ヒールカバー１６は足の踵部を包囲し、歩行時における足の踵部に対する健康履物の後方部の追従性を一層高めることができる。ヒールカバー１６は被甲カバー１４に対して着脱可能なので、足の踵部から容易に外すことができる。
【００５２】
このように構成された健康履物１７を用いれば、装着者が入院患者や高齢者等である場合にも好適な、歩行が楽で、履脱動作が容易な反面、歩行中に勝手に脱げてしまわず、洗濯して衛生的な状態を保ち易い。
【産業上の利用可能性】
【００５３】
本発明の履物用底部材と健康履物を用いれば、歩行が楽で履脱動作が容易な反面で、歩行中に勝手に脱げてしまわず、衛生的な状態を保ち易い。
【図面の簡単な説明】
【００５４】
【図１】足の平面を骨格の一部と共に示す図である。
【００５５】
【図２】履物用底部材の斜視図である。
【００５６】
【図３】図２のＸ−Ｘ線に沿う断面図である。
【００５７】
【図４】被甲部材の展開状態の平面図である。
【００５８】
【図５】健康履物の斜視図である。
【００５９】
【図６】健康履物の装着状態の斜視図である。
【符号の説明】
【００６０】
１〜５              ＭＰ関節
６                  履物用底部材
１０                壁部
１２                被甲部材
１３                ベース部
１４                被甲カバー
【図１】
0005356672.tif 000002
【図２】
0005356672.tif 000003
【図３】
0005356672.tif 000004
【図４】
0005356672.tif 000005
【図５】
0005356672.tif 000006
【図６】
0005356672.tif 000007